(57)【要約】  【課題】  電圧出力の立上り／立下がり時に特定の出力ラインに出力電圧を確実に他の出力より先に出力したり、確実に他の出力停止後まで保持したりする。  【解決手段】  制御手段および該制御手段によって動作が制御される被制御手段に、動作電圧５Ｖ，２４Ｖを与える第１電源８１および第２電源８２を備える電源装置８０において、第１電源への第１入力電力供給手段７９，８５および第２電源への第２入力電力供給手段７９／７９，８６を備えると共に；第１入力電力供給手段は、メインスイッチ７９と、電気的に制御可能な第１スイッチング手段８５の並列回路を含み；第２入力電力供給手段はメインスイッチを含み；メインスイッチのＯＮによって第１電源および第２電源に同時に入力電力を供給し、第２電源の出力電圧によって、前記スイッチング手段（８５）をＯＮする構成とした；ことを特徴とする（図８）。  【選択図】  図３
2006271028.tif 000002
【特許請求の範囲】
【請求項１】
制御手段および該制御手段によって動作が制御される被制御手段に、動作電圧を与える第１電源および第２電源を備える電源装置において、
第１電源への入力電力供給手段および第２電源への入力電力供給手段を備えると共に；第１電源への入力電力供給手段は、メインスイッチと、電気的に制御可能なスイッチング手段の並列回路を含み；第２電源への入力電力供給手段は前記メインスイッチを含み；該メインスイッチのＯＮによって第１電源および第２電源に同時に入力電力を供給し、第２電源の出力電圧によって、前記スイッチング手段をＯＮする構成とした；ことを特徴とする、電源装置。
【請求項２】
更に、第１電源の出力電圧によってＯＮするスイッチング手段を、第２電源の出力側に備えた；請求項１に記載の電源装置。
【請求項３】
制御手段および該制御手段によって動作が制御される被制御手段に、動作電圧を与える第１電源および第２電源を備える電源装置において、
第１電源への入力電力供給手段および第２電源への入力電力供給手段を備えると共に；第１電源への入力電力供給手段はメインスイッチを含み、第２電源への入力電力供給手段は、前記メインスイッチと電気的に制御可能なスイッチング手段の直列回路を含み；前記メインスイッチのＯＮによって第１電源に入力電力を供給し、第１電源の出力電圧によって、前記スイッチング手段をＯＮして第２電源に入力電力を供給する構成とした；ことを特徴とする、電源装置。
【請求項４】
制御手段および該制御手段によって動作が制御される被制御手段に、動作電圧を与える第１電源および第２電源を備える電源装置において、
第１電源への入力電力供給手段および第２電源への入力電力供給手段を備えると共に；第１電源への入力電力供給手段は、メインスイッチと電気的に制御可能な第１のスイッチング手段の並列回路含み、前記メインスイッチのＯＮによって第１電源に入力電力を供給し、第２電源の出力電圧によって、第１のスイッチング手段をＯＮし；第２電源への入力電力供給手段は、前記メインスイッチと電気的に制御可能な第２のスイッチング手段の直列回路を含み、第１電源の出力電圧によって、第２のスイッチング手段をＯＮして第２電源に入力電力を供給する構成とした；ことを特徴とする電源装置。
【請求項５】
前記電気的に制御可能なスイッチング手段はトライアックである、請求項１乃至３のいずれか１つに記載の電源装置。
【請求項６】
第２のスイッチング手段は、第２電源のコンバータの１次側チョッピング回路のスイッチング素子であり；前記電源装置は、第１電源の出力電圧があるときには該チョッピング素子のＯＮを許可し該出力電圧がない時には禁止する信号を第２電源に与えるコンバータ動作信号制御手段を備える；請求項３又は４に記載の電源装置。
【請求項７】
請求項１乃至６のいずれか１つに記載の電源装置；および、
該電源装置によって給電される作像手段；を備える画像形成装置。
【請求項８】
更に、原稿の画像を読み取って該画像を表す画像データを発生する原稿読取り装置；および、該画像データを前記作像手段による作像に適合する画像データに変換する画像データ処理手段；を備える請求項７に記載の画像形成装置。
【発明の詳細な説明】
【技術分野】
【０００１】
本発明は、複数電圧を出力する、あるいは、複数ラインに個別に電力を出力する電源装置に関し、特に、制御手段および該制御手段によって動作が制御される被制御手段に、動作電圧を与える第１電源および第２電源を備える電源装置に関する。本発明の電源装置は多くの機器に使用でき、例えば、原稿スキャナ，プリンタ，複写機，ファクシミリ装置，パソコンその他のコンピュータに使用できる。
【背景技術】
【０００２】
【特許文献１】特開平  ９−  ２９７５０７号公報
【特許文献２】特開２００２−３４５１４８号公報
【特許文献３】特開２００２−３５４７９３号公報。
【０００３】
特許文献１には、５Ｖの制御電圧と２４Ｖの負荷（被制御体）駆動電圧を出力する電源装置の出力側に介挿したインターロックスイッチ２９がＯＦＦ（オフ：遮断，非導通）になると、それに応答して２４Ｖラインに接続された負荷をＯＮ（オン：通電，導通）にして、２４Ｖ電源にある大容量のコンデンサを負荷を介して放電させる、インターロック時の保安制御が記載されている。
【０００４】
特許文献２には、異なる電圧を出力する複数の電源の中の１つの電源の出力ラインにインターロックスイッチを介してリレーコイルを接続してリレー接点を他の電源の出力ラインに介挿した多電圧出力のＤＣ電源装置が記載されている。
【０００５】
特許文献３には、異なる電圧を出力する複数の電源を備え、しかも、電源スイッチがＯＦＦ下時にはメモリにある順番で各電源の電源出力を停止する信号処理装置を備える電源装置が記載されている。
【０００６】
各種電気機器やＯＡ機器やＦＡ機器等例えば、複写機，プリンタ，ファクシミリ装置など、の電装部品に給電されている電源電圧は、３Ｖや５Ｖや１２Ｖや１５Ｖや２４Ｖ等様々な電圧が使用されている。これら電源電圧は、各種検知や各種アクチュエータやモータの動作や負荷の通電やそれらの制御に使用されている。主に、各種検知や制御部分用の電源電圧としては、３Ｖや５Ｖ等の電圧が使用され、各種アクチュエータやモータの動作等の各種負荷へ通電するための電圧としては、１２Ｖや２４Ｖ等が使用されている。
【０００７】
このような機器において電源制御が正常に動作しないと、前記各種負荷へ通電状態が不確定になったり、場合によっては通電のためのスイッチングデバイスを破壊したり、デタラメな通電によって機器を破壊したりしてしまうことがある。電源制御が正常に動作しない原因としては、ＣＰＵの暴走や、電源制御の駆動電源電圧に適正電圧が供給されていないことが考えられる。
【０００８】
前者の原因に対しては、ウォッチドックタイマや複数のＣＰＵでお互いを監視して、異常時はリセット信号を発生させる等の対策がとられている。電源制御へ適正電源電圧を供給するという観点からは、各電圧が立ち上った後の定常状態であれば、適正電圧範囲の電圧が供給されていて問題無いことが通常である。
【発明の開示】
【発明が解決しようとする課題】
【０００９】
しかしながら、従来では、電源立上り時や立下り時については、電源制御の駆動電源電圧を優先的に出力するシーケンス設定はなかった。すなわち、多電源や多出力の電源装置に関して、同装置の立ち上がり時に、優先的に出力すべき電源制御の駆動電源電圧を他の出力電圧より先に出力したり、同装置の立ち下がり時に、優先的に出力すべき電源制御の駆動電源電圧を最後まで保持して他の出力停止を先に実行するといった同装置に対する確実なシーケンス設定がなかった。
【００１０】
本発明は、このような問題点を改善するためになされたもので、複数電圧を出力する、あるいは、複数ラインに個別に電力を出力する電源装置に関して、同装置の電圧出力の立上り時や立下がり時に特定の出力ラインに出力電圧を確実に他の出力より先に出力したり、特定の出力ラインの電圧を確実に他の出力停止後まで保持する、例えば、メインスイッチがＯＮやＯＦＦされた場合、各出力の起動や停止のシーケンス特性に対して、特定ラインの出力開始あるいは出力停止を先にしたりする、ことを目的とする。
【課題を解決するための手段】
【００１１】
（１）制御手段および該制御手段によって動作が制御される被制御手段に、動作電圧(5V,24V)を与える第１電源(81)および第２電源(82)を備える電源装置(80)において、
第１電源(81)への入力電力供給手段(79,85)および第２電源(82)への入力電力供給手段(79)を備えると共に；第１電源(81)への入力電力供給手段(79,85)は、メインスイッチ(79)と、電気的に制御可能なスイッチング手段(85)の並列回路を含み；第２電源(82)への入力電力供給手段(79)は前記メインスイッチ(79)を含み；該メインスイッチ(79)のＯＮによって第１電源(81)および第２電源(82)に同時に入力電力を供給し、第２電源(82)の出力電圧によって、前記スイッチング手段(85)をＯＮする構成とした；ことを特徴とする、電源装置（図８）。
【００１２】
（２）更に、第１電源(81)の出力電圧によってＯＮするスイッチング手段(92)を、第２電源(82)の出力側に備えた；上記（１）に記載の電源装置（図７）。
【００１３】
（３）制御手段および該制御手段によって動作が制御される被制御手段に、動作電圧(5V,24V)を与える第１電源(81)および第２電源(82)を備える電源装置(80)において、
第１電源(81)への入力電力供給手段(79/79a)および第２電源(82)への入力電力供給手段(79/79a,86)を備えると共に；第１電源(81)への入力電力供給手段(79/79a)はメインスイッチ(79/79a)を含み、第２電源(82)への入力電力供給手段(79/79a,86)は、前記メインスイッチ(79/79a)と電気的に制御可能なスイッチング手段(86)の直列回路を含み；前記メインスイッチ(79/79a)のＯＮによって第１電源(81)に入力電力を供給し、第１電源(81)の出力電圧によって、前記スイッチング手段をＯＮして第２電源(82)に入力電力を供給する構成とした；ことを特徴とする、電源装置（図９／図１０）。
【００１４】
（４）制御手段および該制御手段によって動作が制御される被制御手段に、動作電圧(5V,24V)を与える第１電源(81)および第２電源(82)を備える電源装置(80)において、
第１電源(81)への入力電力供給手段(79,85)および第２電源(82)への入力電力供給手段(79,86)を備えると共に；第１電源(81)への入力電力供給手段(79,85)は、メインスイッチ(79)と電気的に制御可能な第１のスイッチング手段(85)の並列回路含み、前記メインスイッチのＯＮによって第１電源(81)に入力電力を供給し、第２電源(82)の出力電圧によって、第１のスイッチング手段(85)をＯＮし；第２電源への入力電力供給手段(79,86)は、前記メインスイッチ(79)と電気的に制御可能な第２のスイッチング手段(86)の直列回路を含み、第１電源(81)の出力電圧によって、第２のスイッチング手段(86)をＯＮして第２電源に入力電力を供給する構成とした；ことを特徴とする電源装置（図３）。
【００１５】
（５）前記電気的に制御可能なスイッチング手段はトライアック(87,88)である、上記（１）乃至（３）のいずれか１つに記載の電源装置（図５）。
【００１６】
（６）第２のスイッチング手段(86)は、第２電源(82)のコンバータの１次側チョッピング回路のスイッチング素子であり；前記電源装置は、第１電源(81)の出力電圧があるときには該チョッピング素子のＯＮを許可し該出力電圧がない時には禁止する信号を第２電源(82)に与えるコンバータ動作信号制御手段(91)を備える；上記（３）又は（４）に記載の電源装置（図６）。
【００１７】
（６ａ）第１電源(81)と、第２のスイッチング手段(86)の前記電気的に制御可能なスイッチング手段(86/88)との間に、省エネ制御用のスイッチング手段(84)を介挿した；上記（２）乃至（６）のいずれか１つに記載の電源装置（図３，５〜７，９，１０）。
【００１８】
（６ｂ）第１電源(81)の電圧出力ラインに省エネ制御用のスイッチング手段(83)を介挿した上記（１）乃至（６ａ）のいずれか１つに記載の電源装置（図３，５〜１０）。
【００１９】
（７）上記（１）乃至（６ｂ）のいずれか１つに記載の電源装置(80)；および、
該電源装置によって給電される作像手段(200)；を備える画像形成装置（図１，図２）。
【００２０】
（８）更に、原稿の画像を読み取って該画像を表す画像データを発生する原稿読取り装置(100,120)；および、該画像データを前記作像手段(200)による作像に適合する画像データに変換する画像データ処理手段(301,302)；を備える上記（７）に記載の画像形成装置（図１，図２）。
【発明の効果】
【００２１】
上記（１）によれば、メインスイッチ(79)がＯＦＦすると第２電源(82)がＯＦＦして動作電圧が消滅し、これによってスイッチング手段(85)がＯＦＦして第１電源(81)がＯＦＦし、その動作電圧が消滅する。すなわち、メインスイッチ(79)がＯＦＦするときには、まず第２電源(82)がＯＦＦし、その後で第１電源(81)がＯＦＦする。第２電源(82)が立上がっているときは第１電源(81)を常に立上がらせておくことができる。
【００２２】
上記（２）によれば、メインスイッチ(79)がＯＮするとき、第１電源(81)が立上がってから、スイッチング手段(92)のＯＮにより第２電源(82)の出力動作電圧の、被制御手段への出力が開始される。メインスイッチ(79)がＯＦＦするときには、上記（１）に記述の通り、まず第２電源(82)がＯＦＦし、その後で第１電源(81)がＯＦＦする。したがって、第２電源(82)の動作電圧出力をしている間は、第１電源(81)の動作電圧出力を常に継続することができる。
【００２３】
上記（３）によれば、メインスイッチ(79)がＯＮするとき、第１電源(81)が立上がってから、スイッチング手段(86)のＯＮにより第２電源(82)に入力電力が供給されるので、第２電源(82)の立上りは常に、第１電源(81)の立上りの後になる。第２電源(82)の立上るときには第１電源を立上らせておくことができる(81)。
【００２４】
上記（４）によれば、メインスイッチ(79)がＯＮするとき、第１電源(81)が立上がってから、第２のスイッチング手段(86)のＯＮにより第２電源(82)に入力電力が供給されるので、第２電源(82)の立上りは常に、第１電源(81)の立上りの後になる。メインスイッチ(79)がＯＦＦするときには、メインスイッチ(79)によって第２電源(82)に入力電力が遮断され、これによって第２のスイッチング手段(85)がＯＦＦするので、第１電源(81)の立下りは常に第２電源(81)の後になる。
【００２５】
上記（５）によれば、上記（１）乃至（３）のいずれか１つに記載の作用効果が同様にえられる。
【００２６】
上記（６）によれば、上記（３）又は（４）に記載の作用効果が同様にえられる。
【００２７】
上記（６ａ）によれば、上記（２）乃至（６）のいずれか１つに記載の作用効果が同様にえられる。
【００２８】
上記（６ｂ）によれば、上記（１）乃至（６ａ）のいずれか１つに記載の作用効果が同様にえられる。
【００２９】
上記（７）によれば、上記（１）乃至（６ｂ）のいずれか１つに記載の作用効果が同様にえられる。
【００３０】
上記（８）によれば、上記（７）に記載の作用効果が同様にえられる。
【発明を実施するための最良の形態】
【００３１】
本発明の他の目的および特徴は、図面を参照した以下の実施例の説明より明らかになろう。
【実施例１】
【００３２】
図１に、本発明の第１実施例のフルカラーデジタル複合機能複写機ＭＦ１の外観を示す。このフルカラー複写機ＭＦ１は、大略で、自動原稿送り装置（ＡＤＦ）１２０と、操作ボード１０と、カラースキャナ１００と、カラープリンタ２００の各ユニットで構成されている。なお、操作ボード１０と、ＡＤＦ１２０付きのカラースキャナ１００は、プリンタ２００から分離可能なユニットであり、カラースキャナ１００は、動力機器ドライバやセンサ入力およびコントローラを有する制御ボードを有して、エンジンコントローラ（ＣＰＵ３０１：図２）と直接または間接に通信を行いタイミング制御されて原稿画像の読取りを行う。
【００３３】
スキャナ１００およびプリンタ２００ならびに画像入出力装置（３０２：図２）を含むエンジン（３００：図２）を接続したコントローラボード（４００：図２）には、パソコンＰＣが接続したＬＡＮ(Local Area Network)が接続されており、ファクシミリコントロールユニット（ＦＣＵ  ４１７：図２）には、電話回線ＰＮ（ファクシミリ通信回線）に接続された交換器ＰＢＸが接続されている。
【００３４】
図１に示す複合機能複写機ＭＦ１のプリンタ２００は、フルカラーインクジェットプリンタである。インクジェットプリンタ２００の印字ユニット２４１には、主走査方向ｘ（図１紙面の表から裏に向かう方向）に往復移動するキャリッジ２４１にカラーインクジェットヘッドが搭載されている。該ヘッドには、副走査方向ｙ（図１紙面上で左から右への方向）に、多数のインク噴射ノズルが高密度配列されたＣ，Ｍ，Ｙ，Ｋインク記録ヘッドが主走査方向ｘに並べてある。キャリッジ２４１の主走査方向ｘの１走査で副走査方向ｙの所定幅に、各色記録ヘッドの各色インク噴射によりカラー画像が形成され、そこで副走査方向ｙに用紙を所定幅を送ってからまた主走査方向ｘの１走査が行われる。この繰り返しにより、用紙カセット２０９又は２１０から繰り出されてレジストローラ２３３に送り込まれて、用紙搬送ライン２４３に沿って送られる用紙にカラー画像が形成される。画像記録が終わった用紙は用紙排紙トレイ２４４に送り出される。２４５はＣ，Ｍ，Ｙ，Ｋインクを入れたインクカートリッジであり、各インクカートリッジからインクが、ポンプ２４６で汲み上げられて各色記録ヘッドに補充される。
【００３５】
電源オン直後には、主走査方向ｘで用紙幅領域の外にある回収槽２４２の位置にキャリッジ２４１（各色記録ヘッド）が駆動されて、試行のインク噴射が行われる。
【００３６】
図２に、図１の複合機能複写機ＭＦ１の画像処理システムの構成を示す。複合機能複写機ＭＦ１は、原稿画像読取りおよびカラー印刷を行うエンジン３００，コントローラボード４００および操作ボード１０を含む。エンジン３００は、画像読取りおよび印刷のプロセスを制御するＣＰＵ３０１，上述のカラースキャナ１００，上述のプリンタ２００、および、ＡＳＩＣ(Application Specific IC)で構成した画像入出力処理３０２を備えている。
【００３７】
スキャナ１００の読取りユニット１１０にはＣＰＵ，ＲＯＭおよびＲＡＭがあり、該ＣＰＵが該ＲＯＭに格納されたプログラムを該ＲＡＭに書き込んで実行する事で、スキャナ１００の全体の制御を行っている。また、プロセス制御用のＣＰＵ３０１と通信線を介して接続されおり、コマンド及びデータの送受信により指令された動作を行う。読取りユニット１１０内のＣＰＵは、フィラーセンサ（原稿検知センサ），基点センサ，圧板スイッチ，冷却ファン等の検知及びＯＮ／ＯＦＦの制御をする。読取りユニット１１０内において、スキャナモータドライバが、ＣＰＵからのＰＷＭ出力によりドライブされ励磁パルスシーケンスを発生し原稿走査駆動用のパルスモータを駆動する。
【００３８】
原稿画像は、ランプレギュレータによって通電されるハロゲンランプの光量出力により照明されて、原稿の反射光すなわち光信号は、スキャナ１００の第１キャリッジに前記ハロゲンランプとともに搭載された第１ミラー、ならびに、第１キャリッジの１／２の速度で同方向に駆動される第２キャリッジに搭載された第３，第４ミラーを介して、さらにはレンズを通して、Ｒ，ＧおよびＢ読取り用の３個のラインセンサを含む、センサボードユニットＳＢＵにあるＣＣＤ２０７に結像される。３ラインＣＣＤ２０７は、各ＲＧＢの各画素のアナログの画像信号をデジタル処理回路（ＡＦＥ）１１１に出力する。ＡＦＥ１１１は、画像信号を増幅し画像データにデジタル変換しそしてシェーディング補正する画像信号処理手段である。
【００３９】
コントローラボード４００は、ＣＰＵ４０２と、ＡＳＩＣで構成された書画蓄積制御４０３と、ハードディスク装置（以下ではＨＤＤと表記）４０１と、ローカルメモリ（ＭＥＭ−Ｃ）４０６と、システムメモリ（ＭＥＭ−Ｐ）４０９と、ノースブリッジ（以下、ＮＢと記す）４０８と、サウスブリッジ（以下、ＳＢと記す）４１５と、ＮＩＣ４１０(Network Interface Card)と、ＵＳＢデバイス４１１と、ＩＥＥＥ１３９４デバイス４１２と、セントロニクスデバイス４１３他を含む。操作ボード１０は、コントローラボード４００の書画蓄積制御４０３に接続されている。ファクシミリコントロールユニット（ＦＣＵ）４１７も、書画蓄積制御４０３にＰＣＩバスで接続されている。
【００４０】
ＣＰＵ４０２は、ＮＩＣ４１０を介してＬＡＮに接続されたパソコンＰＣあるいはインターネットを介する他のパソコンＰＣと書画情報の送受信を行うことができる。また、ＵＳＢ４１１，ＩＥＥＥ１３９４  ４１２，セントロニクス４１３を用いてパソコン，プリンタ，デジタルカメラ等と通信することができる。
【００４１】
ＳＢ４１５と、ＮＩＣ４１０と、ＵＳＢデバイス４１１と、ＩＥＥＥ１３９４デバイス４１２と、セントロニクスデバイス４１３と、ＭＬＢ４１４は、ＮＢ４０８にＰＣＩバスで接続されている。このように、ＭＬＢ４１４は、エンジン３００にＰＣＩバスを介して接続する基板である。そして、ＭＬＢ４１４は、外部から入力された書画データをイメージデータ（画像データ）に変換し、変換された画像データをエンジン３００に出力する。
【００４２】
コントローラボード４００の書画蓄積制御４０３にローカルメモリ４０６、ＨＤＤ４０１などが接続されると共に、ＣＰＵ４０２と書画蓄積制御４０３とがＣＰＵチップセットのＮＢ４０８を介して接続されている。書画蓄積制御４０３とＮＢ４０８とは、ＡＧＰ(Accelerated Graphics Port)を介して接続されている。
【００４３】
ＣＰＵ４０２は、複合機能複写機ＭＦ１の全体制御を行うものである。ＮＢ４０８は、ＣＰＵ４０２、システムメモリ４０９、ＳＢ４１５および書画蓄積制御４０３を接続するためのブリッジである。システムメモリ４０９は、複合機能複写機ＭＦ１の描画用メモリなどとして用いるメモリである。ＳＢ４１５は、ＮＢ４０８とＰＣＩバス、周辺デバイスとを接続するためのブリッジであり、ＳＢ４１５には外付けＲＯＭおよびＳＤメモリカード（以下ではＳＤカード）の読み書きをするカードＩＦ４１８が接続されている。このカードＩＦ４１８には、ＳＤカード読み書き装置（カードリーダ）が接続されており、カードリーダに装着されるＳＤカードのデータを読み取ることができ、またＳＤカードにデータを書込むことができる。
【００４４】
ローカルメモリ４０６はコピー用画像バッファ、符号バッファとして用いるメモリである。ＨＤＤ４０１は、画像データの蓄積，文書データの蓄積，プログラムの蓄積，フォントデータの蓄積，フォームの蓄積，ＬＵＴ(Look Up Table)の蓄積などを行うためのメモリである。また、操作ボード１０は、ユーザからの入力操作を受け付けると共に、ユーザに向けた表示を行う操作部である。
【００４５】
図２には、スキャナ１００およびプリンタ２００と画像入出力処理３０２との間でやり取りする画像データの流れを示す。画像入出力処理３０２には、カラー原稿スキャナ１００が原稿画像を読み取って発生するＲ，Ｇ，Ｂ画像データのそれぞれに対して読取りγ補正，ＭＴＦ補正等を行うスキャナ画像処理３０３があり、また、Ｒ，Ｇ，Ｂ画像データをプリンタ２００の、Ｃ，Ｍ，Ｙ，Ｋ各色書込みの画像表現特性に合ったｃ，ｍ，ｙ，ｋ記録色データ（印刷データ）に変換するプリンタ画像処理３０４があり、更に、書画蓄積制御４０３に原稿読取り画像データＲＧＢを出力し、書画蓄積制御４０３が出力する画像データＲＧＢをプリンタ画像処理３０４に与える画像処理Ｉ／Ｆ(Interface circuit)３０５がある。
【００４６】
白黒コピーのときには、スキャナ画像処理３０３からＧ画象データが画像処理Ｉ／Ｆ３０５に出力され、画像処理Ｉ／Ｆ３０５がＧ画像データをプリンタ画像処理３０４に出力し、プリンタ画像処理３０４がＧ画像データをｋ記録色データに変換し、必要に応じて変倍，画像加工を、そしてプリンタγ変換および階調処理をして、プリンタ２００のＣ書込みユニット２１２に出力する。書込みユニット２１２は、画像処理３０４が出力するｋ記録色データに基づいて、インクジェットプリンタ２００のｋ記録ヘッドのインクジェット記録を制御する。
【００４７】
カラーコピーのときは、スキャナ画像処理３０３が出力するＲＧＢ画像データが、画像処理Ｉ／Ｆ３０５および画像蓄積制御４０３を介して、ローカルメモリ４０６又はＨＤＤ４０１に一時蓄積又はＨＤＤ４０１に登録され、そして読み出されて、コピーまたは印刷に用いられ、あるいは外部に送出される。
【００４８】
プリンタ２００による登録画像データ、又は、外部から受信した画像データの印刷のときには、画像蓄積制御４０３および画像処理Ｉ／Ｆ３０５を介して画像データがプリンタ画像処理３０４に与えられる。プリンタ画像処理３０４は、画像データをｃｍｙｋ記録色データに変換してから、必要に応じて変倍，画像加工を、そしてプリンタγ変換および階調処理をして、書込みユニット２１２に出力する。
【００４９】
読取りユニット１１０の圧板スイッチおよびＡＤＦ１２０のフィラーセンサ（原稿有無センサ）の各検出信号線，操作ボード１０の電源キースイッチ２１のキー操作検出信号線、ならびに、ファクシミリコントローラ４１７の受信検出信号線は、コントローラボード４００の状態変化検知回路ＡＣＤに接続されている。状態変化検知回路ＡＣＤには、主電源スイッチ７９（図３）がオンの間、電源回路８０が休止モードであっても継続して出力される動作電圧＋５ＶＥが印加される。この＋５ＶＥが加わっている限り、検知回路ＡＣＤに接続された上記信号線の何れかに信号変化があると、これを表す変化検出信号をＣＰＵ４０２に与える。ＣＰＵ４０２はこの信号に応答して電源回路８０をスタンバイモード（動作モード）に切換える。
【００５０】
図３に、図１および図２に示す複写機ＭＦ１の各部に動作電圧を与える給電系統の概要を示す。主電源スイッチである元電源スイッチ（メインスイッチ）７９が閉じられると、商用交流１００Ｖが、電源回路８０の第１電源８１に加わり、第１電源８１が５Ｖ電圧（＋５ＶＥ）を出力する。これによってリレー８６が駆動されてＯＮし、商用交流１００Ｖが第２電源８２に加わり、第２電源８２が２４Ｖ電圧を出力する。これによってリレー８５が駆動されてＯＮし、メインスイッチをバイパスして商用交流１００Ｖを第１電源８１に加える。メインスイッチ７９は、図３に示すように、スイッチ回路を２回路備えて、ＡＣ電力を、別回路で第１電源８１と第２リレー８６に給電するものである。
【００５１】
第１電源８１および第２電源８２ともに、商用交流１００Ｖを直流に整流し平滑化する整流平滑回路および該直流を設定電圧（５Ｖ，２４Ｖ）の直流に変換するＤＣ／ＤＣコンバータを内蔵している。そしてＤＣ／ＤＣコンバータは、１次側チョッピング回路（スイッチングレギュレータ）のスイッチング素子のＯＮ／ＯＦＦのＰＷＭ(Pulse Width Modulation)制御によって、設定電圧（５Ｖ，２４Ｖ）に安定化しかつ過電流を抑制した安定化直流電力を出力するものである。
【００５２】
電源回路８０には、省エネモードである休止モードと、動作モードであるスタンバイモードとの切り換えを行うための、省エネ制御用のスイッチ８３，８４が付加されている。スイッチ８３は第１電源８１が出力する＋５ＶＥ（＋５Ｖの電圧）の出力ラインに介挿されているが、この実施例では、スイッチ８４は、第２電源８２への給電／遮断を行う第２のスイッチング手段である第２リレー８６をＯＮ／ＯＦＦする制御ラインに介挿されている。省エネ制御用のスイッチ８３，８４のオン／オフを行うための制御信号がコントローラボード４００からスイッチ８３，８４に与えられる。コピースタートあるいはプリントコマンドに応答して実質上遅れ時間無く画像形成を開始することが出来る「スタンバイモード」（待機モード；通常モード）では、コントローラボード４００は上記制御信号でスイッチ８３および８４を共にオンにしている。「休止モード」ではコントローラボード４００は、＋２４Ｖを給電するスイッチ８４および＋５Ｖを給電するスイッチ８３を、ともにオフにする。しかし休止モードでは、スイッチ８３，８４がオフではあるが、原稿スキャナ１００の圧板スイッチ，ＡＤＦ１２０のフィラーセンサおよび操作ボード１０の電源キースイッチ２１の各検出信号線には、コントローラボード４００の状態変化検知回路ＡＣＤにおいて検出電圧＋５ＶＥが印加される。また、パソコンＰＣのプリントコマンドを検知する電気回路、および、ファクシミリコントロールユニットＦＣＵのファクシミリ受信検知回路に、＋５ＶＥが継続して印加される。
【００５３】
複写機ＭＦ１には、電子写真方式のプリンタで用いられる、高電力を要する定着器はない。記録紙に噴射したインクの乾きを早くするためにヒータおよび又は送風機を装備する場合でも、高電力は不要である。インク乾燥用又は機内温度制御用にヒータ，クーラ，ファンなどの空調機器を備えるときは、＋２４Ｖ出力で空調機器を駆動する。
【００５４】
メインスイッチ７９がＯＦＦ状態の場合、第２電源８２にＡＣ電力は供給されない。したがって、第２電源８２および同電源出力によってＯＮする第１のスイッチング手段である第１リレー８５は共にＯＦＦ状態である。メインスイッチ７９および第１リレー８５がＯＦＦ状態であるから、第１電源８１もＯＦＦ状態である。また、この時当然、第１電源８１の出力電圧によってＯＮする第２のスイッチング手段である第２リレー８６もＯＦＦ状態である。すなわち、メインスイッチ７９がＯＦＦ状態の時は、第１電源８１，第２電源８２，第１リレー８５および第２リレー８６は、全てＯＦＦ状態である。
【００５５】
メインスイッチ７９がＯＦＦ状態からＯＮ状態となった場合、第１電源８１にはＡＣ電力が供給される状態となり、第２電源８２には第２リレー８６がＯＦＦ状態であるので、第２リレー８６の手前までＡＣ電力が供給される状態となる。したがって、第１電源８１の出力は立ち上がり動作を開始するが、第２電源８２はＯＦＦ状態である。しかる後、第１電源８１の出力電圧が充分な電圧になると、第２リレー８６はＯＮ状態になって、第２電源８２へのＡＣ電力の供給を開始し同電源の出力が立ち上がり始める。そして、第２電源８２の出力電圧が充分な電圧になると、第１リレー８５はＯＮ状態になって、第１電源８１へのＡＣ電力供給が可能となる。したがって、メインスイッチ７９のＯＮ状態での定常状態としては、第１電源８１は５Ｖを出力し、第２電源８２は２４Ｖを出力し、メインスイッチ７９，第１リレー８５および第２リレー８６はＯＮ状態になっている。
【００５６】
メインスイッチ７９のＯＮ状態からメインスイッチ７９をＯＦＦした場合は、第２電源８２にはＡＣ電力の供給が遮断されるが、第１電源８１には第１リレー８５のＯＮによって電力供給がすぐには遮断されないので、第１電源８１は停止しない。第２電源８２が停止動作を開始して出力電圧が下がり始めて、第１リレー８５をＯＮ状態に維持できない電圧となってやっと、第１電源８１へのＡＣ電力の供給が、第１リレー８５のＯＦＦによって遮断される。
【００５７】
以上のことから、メインスイッチ７９ＯＮ時の両電源８１，８２のＯＮシーケンスは、確実に、第１電源８１のＯＮ→第２電源８２のＯＮ、の順番とすることができ、メインスイッチ７９ＯＦＦ時の両電源８１，８２のＯＦＦシーケンスは、確実に、第２電源８２のＯＦＦ→第１電源８１のＯＦＦ、の順番とすることができる。すなわち、制御系の優先度の高い第１電源８１は、パワー系の優先度の低い第２電源８２が立ち上がっているときは常に立ち上がらせておくことができる。
【００５８】
図４に、コントローラボード４００（のＣＰＵ４０２）が実行する、スタンバイモード／休止モード間の切換え制御を示す。電源回路８０（図３）と商用交流電源ＡＣ（コンセント）との間のメインスイッチ７９が閉じて電源回路８０が動作電圧を与えると、コントローラボード４００のＣＰＵ４０２は、電源オン応答の初期化処理（ステップ１）をして、そこでスタンバイモードを設定する（ステップ２）。すなわちスイッチ８３，８４をオンする。そして省エネモードレジスタＦＭのデータを、スタンバイモードを表わす「０」とし、スタンバイモードから休止モードへの切換え待ち時間Ｔｄ１を時限値とするタイマＴｄ１をスタートする。
【００５９】
なお、以下においては、カッコ内にはステップと言う語を省略してステップ番号数字のみを記す。
【００６０】
スタンバイモードが設定されたことにより、複写機ＭＦ１の各部に動作電圧が投入される。操作ボード１０のＣＰＵは、スタンバイモードの設定（２）による動作電圧の印加に応答して電源オン初期化を実行して、操作ボード１０内のＮＶＲＡＭにある標準処理モードのコピー条件を読み出して操作ボード１０の液晶タッチパネルに表示する。
【００６１】
図４の入力読取（３）では、操作ボード１０のＣＰＵが操作ボード１０に対するユーザの操作を読み込んでコントローラボード４００のＣＰＵ４０２に報知し、また、コントローラボード４００のＣＰＵ４０２が、パソコンＰＣおよびＦＣＵからのコマンドを解読する。操作ボード１０のＣＰＵは、画像処理モードキー入力の読取りと液晶タッチパネルの表示の切換え、操作ボード１０に対するユーザの操作に対応して、置数キーの押下の読込みと入力数字データの生成，スタートキーの押下の読込みと、スタート指示のコントローラボード４００への転送，用紙サイズの切換え入力の読取りなど、通常の複写機の操作読取りおよび表示出力の制御を行う。
【００６２】
スタンバイモードから休止モードへの切換えの待ち時間Ｔｄ１は、操作ボード１０から入力できるものであり、入力値が操作ボード１０のＮＶＲＡＭに格納（登録）されているものである。
【００６３】
図４の「入力読取」（３）で、パソコンＰＣから印刷指示を受けると、あるいはＦＣＵ４１７がファクシミリ受信を報知してくると（５）、ＣＰＵ４０２は電源回路８０を、休止モードであると、スタンバイモードに切換える（６）。「入力読取」（３）で、指示入力、例えば、操作ボード１０に対するユーザの操作（画像処理モード指定キーのタッチ，置数キーの押下，スタートキーの押下，用紙サイズの切換え，その他）を受けるとコントローラボード４００のＣＰＵ４０２は、指示入力に対応した処理に進む（５−７−８）。「入力読取」（３）で、スタンバイモードを設定しているときに電源キー２１がオンすると操作ボード１０のＣＰＵおよびコントローラボード４００のＣＰＵ４０２は、ユーザが休止モードへの切換えを指示したとみなして（７，９）、液晶タッチパネル表示中の画像処理モードを、操作ボード１０内のＮＶＲＡＭ４に前回モードとして書込み、休止モードに移行する（１２）。休止モードに移行するとＣＰＵ４０２は、状態変化検知回路ＡＣＤが変化検出信号を発生するのを待ち（１３）、変化検出信号が発生すると、電源回路８０をスタンバイモードに設定する（６）。なお、変化検出信号を発生するのを待っている間、ＰＣから印刷コマンドが到来すると、電源回路８０をスタンバイモードに設定する（６）。
【００６４】
休止モードを設定しているときに電源キー２１がオンするとＣＰＵ４０２は、ユーザがスタンバイモードへの切換えを指示したとみなして、スタンバイモードを設定し、操作ボード１０内のＮＶＲＡＭに書き込んでいる前回画像処理モードを読出して操作ボード１０の液晶タッチパネルに表示する（７−９−６）。
【００６５】
図４の「入力読取」（３）で指示入力がないと、指示入力を待っている間、タイマＴｄ１がタイムオーバしたかをチェックする（４−１４，１５）。そして指示入力が無くタイマＴｄ１がタイムオーバすると、コントローラボード４００のＣＰＵ４０２は、休止モードに移行する（１５−１２）。
【実施例２】
【００６６】
第２実施例の複写機ＭＦ１の機械構造および動作機能は、上述の第１実施例のものと同じであるが、電源回路の構成が異なる。
【００６７】
図５に、第２実施例の複写機ＭＦ１の電源回路８０を示す。これは、第１および第２のスイッチング手段を第１トライアック８７および第２トライアック８８に変更し、これらのトライアックをＯＮ駆動する第１トライアック制御回路８９および第２トライアック制御回路９０を備えたものである。このようなスイッチ回路構成としても、上述の第１実施例の図３に示す電源回路と、動作や機能や効果は同じである。第１および第２のスイッチング手段をトライアックとすることには、制御が容易になることやコストが安いことや小型化設計が可能になる等のメリットがある。
【実施例３】
【００６８】
第３実施例の複写機ＭＦ１の機械構造および動作機能は、上述の第１実施例のものと同じであるが、電源回路の構成が異なる。
【００６９】
図６に、第３実施例の複写機ＭＦ１の電源回路８０を示す。第１実施例の図３に示す電源回路との相違点は、第２電源８２の出力遮断手段として、第１実施例の第２リレー８６を、第２電源８２に内蔵するＤＣ／ＤＣコンバータの１次側チョッピング回路（スイッチングレギュレータ）のスイッチング素子に変更した点である。第１電源８１の出力電圧はコンバータ動作信号制御回路９１に入力される。同回路９１は、第１電源の出力電圧が例えば４．７５Ｖ以上でコンバータ動作信号（動作許可）を出力し、４．７５Ｖ未満でコンバータ動作停止信号（停止指示）を出力する。そしてこの出力信号は、第２電源８２の前記スイッチング素子をＯＮ／ＯＦＦ駆動する、ＤＣ／ＤＣコンバータ内の駆動回路に印加され、該駆動回路が、コンバータ動作信号が与えられるとスイッチング素子をＯＮ／ＯＦＦ駆動し、コンバータ動作停止信号に切換わるとスイッチング素子をＯＦＦに拘束する。
【実施例４】
【００７０】
第４実施例の複写機ＭＦ１の機械構造および動作機能は、上述の第１実施例のものと同じであるが、電源回路の構成が異なる。
【００７１】
図７に、第３実施例の複写機ＭＦ１の電源回路８０を示す。第１実施例の図３に示す電源回路との相違点は、第２電源８２の出力遮断手段として、第１実施例の第２リレー８６を第２電源８２の出力（２４Ｖ）をＯＮ／ＯＦＦするリレー９２に変更した点である。第１電源８１の出力電圧は、スイッチ制御回路９３に入力される。同回路９３は、例えば出力電圧が４．７５Ｖ以上でリレー９２をＯＮさせる駆動電圧を出力し、４．７５Ｖ未満で該駆動電圧の出力を停止してリレー９２をＯＦＦさせる。図示では、第２電源８２の出力をリレー９２でＯＮ／ＯＦＦするが、リレー９２に変えてトランジスタやＦＥＴとしても良い。リレー９２の場合は、スイッチ制御回路９３を省略して第１電源８１の出力電圧を直接リレーコイルに入力しても良い。
【実施例５】
【００７２】
第５実施例の複写機ＭＦ１の機械構造および動作機能は、上述の第１実施例のものと同じであるが、電源回路の構成が異なる。
【００７３】
図８に、第５実施例の複写機ＭＦ１の電源回路８０を示す。第１実施例の図３に示す電源回路との相違点は、第２リレー８６が省略されている点である。この構成によると、メインスイッチ７９がＯＮ状態の場合、第１電源８１および第２電源８２は、ＡＣ電力が供給されるので、５Ｖおよび２４Ｖを出力している。また、２４Ｖ出力によって、リレー８５もＯＮ状態になっている。この状態で、メインスイッチ７９をＯＦＦした場合は、第２電源８２にはＡＣ電力の供給が遮断されるが、第１電源８１にはリレー８５のＯＮによって電力供給がすぐには遮断されないので、第１電源８１は停止しない。第２電源８２が停止動作を開始して出力電圧が下がり始めて、リレー８５をＯＮ状態に維持できない電圧となってやっと、第１電源８１へのＡＣ電力の供給が遮断される。したがって、メインスイッチ７９ＯＦＦ時の両電源８１，８２のＯＦＦシーケンスは、確実に、第２電源８２のＯＦＦ→第１電源８１のＯＦＦ、の順番とすることができる。
【００７４】
この第５実施例（図８）では、２４Ｖ出力の省エネ用のスイッチ８４は、第２電源８２の出力ラインに介挿されている。
【実施例６】
【００７５】
第６実施例の複写機ＭＦ１の機械構造および動作機能は、上述の第１実施例のものと同じであるが、電源回路の構成が異なる。
【００７６】
図９に、第５実施例の複写機ＭＦ１の電源回路８０を示す。この電源回路８０は、第１電源８１と、第２電源８２と、メインスイッチ７９ａと、第２電源８２に入力電力を供給するリレー８６を備えている。ＡＣ電力がメインスイッチ７９ａを通じて、第１電源８１およびリレー８６に接続されている。第２電源８２にはリレー８６を介して交流電圧が供給される。すなわち、メインスイッチ７９ａとリレー８６は直列接続されて、第２電源８２に接続されていることになる。リレー８６は、第１電源８１によって出力される５Ｖの出力電圧によってＯＮされる。このような構成によると、メインスイッチ７９ａがＯＦＦ状態の場合、ＡＣ電力はメインスイッチ７９ａの手前で遮断されていて、第１電源８１および第２電源８２に供給されない。また、リレー８６も、第１電源８１の電圧が出力されない状態であるのでＯＦＦ状態である。
【００７７】
メインスイッチがＯＦＦ状態からＯＮ状態となった場合、第１電源８１にはＡＣ電力が供給される状態となり、第２電源８２にはリレー８６がＯＦＦ状態であるので、リレー８６の手前までＡＣ電力が供給される状態となる。したがって、第１電源８１の出力は立上がり動作を開始するが、第２電源８２はＯＦＦ状態である。しかる後、第１電源８１の出力電圧が充分な電圧になると、リレー８６はＯＮ状態になって、第２電源８２へのＡＣ電力の供給を開始し同電源８２の出力が立上がり始める。したがって、メインスイッチ７９ａＯＮ時の両電源８１，８２のＯＮシーケンスは、確実に、第１電源８１のＯＮ→第２電源８２のＯＮ、の順番とすることができる。
【００７８】
図１０には、メインスイッチ７９ａを２回路のもの７９に変更した、上記第６実施例の１変形例を示す。このようにＡＣ電力を２系統に分割する構成とすれば、各回路に流れる電流が小さいので、メインスイッチ７９ｋ接点のストレスが小さくなったり、部品寿命が向上する等のメリットがある。
【図面の簡単な説明】
【００７９】
【図１】本発明の第１実施例の複合機能複写機ＭＦ１の機構概要を示す縦断面図である。
【図２】図２に示す複写機ＭＦ１の、画像処理電気系統の構成を示すブロック図である。
【図３】図１に示す複合機能複写機ＭＦ１の各部に給電する電源回路８０の構成を示すブロック図である。
【図４】図２に示すコントローラボード４００のＣＰＵ４０２の、システム制御の中の省エネ制御の概要を示すフローチャートである。
【図５】第２実施例の電源回路８０の構成を示すブロック図である。
【図６】第３実施例の電源回路８０の構成を示すブロック図である。
【図７】第４実施例の電源回路８０の構成を示すブロック図である。
【図８】第５実施例の電源回路８０の構成を示すブロック図である。
【図９】第６実施例の電源回路８０の構成を示すブロック図である。
【図１０】第６実施例の電源回路８０の１変形例の構成を示すブロック図である。
【符号の説明】
【００８０】
７９：メインスイッチ
８１：第１電源
８２：第２電源
８３，８４：省エネ制御用のスイッチ
８５，８６：リレー
２０９，２１０：給紙カセット
２３３：レジストローラ
【図１】
2006271028.tif 000003
【図２】
2006271028.tif 000004
【図３】
2006271028.tif 000005
【図４】
2006271028.tif 000006
【図５】
2006271028.tif 000007
【図６】
2006271028.tif 000008
【図７】
2006271028.tif 000009
【図８】
2006271028.tif 000010
【図９】
2006271028.tif 000011
【図１０】
2006271028.tif 000012